(57)【要約】【課題】  記録媒体に記録されている複数の画像ファイルの管理を表示画面上で行える撮像装置を提供すること。【解決手段】  サムネイル画像を並べて表示画面上に表示するとともに一次保管箱を表わすアイコン１５０３とゴミ箱を表わすアイコン１５０２とを表示画面上に表示する。カーソル１５０１によるドラッグアンドドロップ操作によりサムネイル画像を一次保管箱１５０３内に記憶させ、その一次保管箱１５０３内にあるサムネイル画像が表わす画像のプリント予約処理や消去処理を行ない易くする。【選択図】  図４
2005151115.tif 000002
【特許請求の範囲】
【請求項１】
被写体像を表わす画像データを生成して記録媒体に記録する撮影モードと、記録媒体に記録された画像を表示画面上に表示する再生モードとを有する撮像装置において、
再生モードにあるときに、前記表示画面上に、記録媒体上に記録された画像データに基づく画像にさらに該記録媒体上の所定のフォルダである一時保管箱を表わすアイコンと操作に応じて移動するカーソルとを付加して表示する画像表示制御部と、
前記表示画面上に表示されたカーソルを移動しながら該表示画面上に表示された画像を一時保管箱のアイコンに入れるドラッグアンドドロップ操作を受けて、該画像を表わす画像データを該一時保管箱に所属させる画像記録制御部とを備えたことを特徴とする撮像装置。
【請求項２】
前記画像表示制御部は、再生モードにあるときに、前記表示画面上に記録媒体に記録された１つ以上の画像データに基づく１つ以上のサムネイル画像を並べて表示するとともに、前記一時保管箱のアイコンおよびカーソルを表示するものであることを特徴とする請求項１記載の撮像装置。
【請求項３】
前記画像表示制御部は、前記一時保管箱のアイコンとして、該一時保管箱に所属する画像データが存在するか否かに応じて相互に異なる表示態様のアイコンを表示するものであることを特徴とする請求項１記載の撮影装置。
【請求項４】
前記画像表示制御部は、再生モードにあるときに、操作に応じて、前記記録媒体上の、一時保管箱に所属する画像データに基づく画像を前記表示画面上に表示するものであることを特徴とする請求項１記載の撮影装置。
【請求項５】
前記画像表示制御部は、再生モードにあるときに、操作に応じて、前記記録媒体上の、一時保管箱に所属する１つ以上の画像データに基づく１つ以上のサムネイル画像を並べて表示するものであることを特徴とする請求項４記載の撮像装置。
【請求項６】
前記画像記録制御部は、操作に応じて、前記一時保管箱に保管されている画像データに基づく画像のプリント予約処理を行うものであることを特徴とする請求項１記載の撮像装置。
【請求項７】
前記画像記録制御部は、操作に応じて、前記一時保管箱に保管されている画像データの消去処理を行なうものであることを特徴とする請求項１記載の撮影装置。
【発明の詳細な説明】
【技術分野】
【０００１】
本発明は、被写体像を表わす画像データを生成して記録媒体に記録する撮影モードと記録媒体に記録された画像を表示画面上に表示する再生モードとを有する撮像装置に関する。
【背景技術】
【０００２】
パーソナルコンピュータ（以下ＰＣという）などでは、高度なマンマシンインタフェースを実現するＯＳを備えたものが多い。このようなＯＳを搭載したＰＣでは、簡単な操作でＰＣに様々な処理を行なわせることができる。例えば、画面上に記録媒体上のフォルダとなるアイコンを表示させ、ドラッグアンドドロップ操作によりそのアイコンを移動させるだけでフォルダ内のファイルの移動や消去を簡単に行える。
【０００３】
こういった画像ファイルの管理を行う際には、マルチタスク的に管理作業が行なわれることが多く、一旦作業を保留して他の作業を行って、また保留していた作業を再開することが多いため、作業中の画像ファイルなどを一時保管しておく一時保管箱などが表示されるものもある。このような一時保管箱があると、例えばプリント予約を行いたい画像ファイルを選別してその一時保管箱に登録しておき、後になって一括してプリント予約を行ってインタネットを通して写真店に注文するようなことも行える（例えば特許文献１参照）。
【０００４】
デジタルカメラで撮影した画像を可搬型記録媒体に記録した場合には、その可搬型記録媒体をＰＣに装着して、その可搬型記録媒体上に記録されている画像ファイルをＰＣ上に展開させ、プリント予約を行う画像データの候補データを選別する作業などがＰＣの表示画面上で行われる。このように特許文献１の機能を用いることにより、ＰＣ上で効率的に画像ファイルの選別などの管理を行える。
【０００５】
しかし、可搬型記録媒体を一々ＰＣに装着してプリント予約処理などを行ったりするのは面倒である。
【特許文献１】特開２００２−２５９７６２号公報
【発明の開示】
【発明が解決しようとする課題】
【０００６】
本発明は、上記事情に鑑み、可搬型を含む記録媒体上の画像ファイルの管理を表示画面上で行なうことが自在な撮像装置を提供することを目的とする。
【課題を解決するための手段】
【０００７】
上記目的を達成する本発明の撮像装置は、被写体像を表わす画像データを生成して記録媒体に記録する撮影モードと記録媒体に記録された画像を表示画面上に表示する撮像装置において、
再生モードにあるときに、上記表示画面上に記録媒体上に記録された画像データに基づく画像、さらにその記録媒体上の所定のフォルダである一時保管箱を表わすアイコンと操作に応じて移動するカーソルとを付加して表示する画像表示制御部と、
上記表示画面上に表示されたカーソルを移動しながらその表示画面上に表示された画像を一時保管箱のアイコンに入れるドラッグアンドドロップ操作を受けて、その画像を表わす画像データをその一時保管箱に所属させる画像記録制御部とを備えたことを特徴とする。
【０００８】
上記本発明の撮像装置によれば、上記再生モードにあるときに、上記画像表示制御部に上記一時保管箱を表示させ、上記画像記録制御部によりその一時保管箱のアイコンに入れるドラッグアンドドロップ操作を受けて、その画像を表わす画像データをその一時保管箱に所属させる処理が行われる。
【０００９】
その結果、ユーザは、この撮像装置の表示画面上で上記カーソルを移動させ、ドラッグアンドドロップ操作を行って上記一次保管箱に画像データを所属させることで、記録媒体上に記録されている１つ以上の画像データを含む画像ファイルのうち、必要な画像ファイルを選別するなどの画像ファイルの管理を表示画面上で簡単に行なえる。
【００１０】
なお、ここでいう画像データとは、画像データそのものであっても、記録媒体上に記録されている画像データを含む画像ファイルのヘッダ部にあるサムネイル画像であっても良い。また、画像データを一次保管箱に所属させる処理は、一次保管箱に画像データを記憶する処理、または一次保管箱にサムネイル画像を表わす画像データを記憶する処理、または記録媒体上に記録されているその画像データとそのサムネイル画像を表わす画像データとを含む画像ファイルの記録位置を示すポインタを記憶する処理を包含するものである。
【００１１】
そうすると、記録媒体上に記録されている画像データを含む画像ファイルをわざわざＰＣに展開させ、ＰＣの表示画面上で画像ファイルの管理を行わなくても、この撮像装置の表示画面上でドラッグアンドドロップ操作により画像ファイルの管理を簡単に行える。
【００１２】
ここで、上記画像表示制御部は、再生モードにあるときに、上記表示画面上に記録媒体に記録された１つ以上の画像データに基づく１つ以上のサムネイル画像を並べて表示するとともに、上記一時保管箱のアイコンおよびカーソルを表示するものであることが好ましい。
【００１３】
このように、上記画像表示制御部により、上記表示画面上に、上記記録媒体上に記録された１つ以上の画像データに基づく１つ以上のサムネイル画像が並べて表示されると、ユーザにより、記録媒体上に記録されている１つ以上の画像データの中身が一度に確認される。さらに、ユーザは、それらのサムネイル画像のうち、いずれかのサムネイル画像を、カーソルを移動しながら一次保管箱のアイコンに入れるドラッグアンドドロップ操作することで、必要な画像データが一次保管箱に保管される。
【００１４】
また、上記画像表示制御部は、上記一時保管箱のアイコンとして、その一時保管箱に所属する画像データが存在するか否かに応じて相互に異なる表示態様のアイコンを表示するものであることが好ましい。
【００１５】
このように異なる表示態様のアイコンを表示するものであると、上記一時保管箱内に画像データが保管されているかどうかがすぐに分かり、記録媒体上に記録されている画像データを含む画像ファイルの管理を行う上で優れた視覚効果を持つマンマシーンインタフェースが実現される。
【００１６】
ここで、上記画像表示制御部は、再生モードにあるときに、操作に応じて、上記記録媒体上の、一時保管箱に所属する画像データに基づく画像を上記表示画面上に表示するものであっても、また上記画像表示制御部は、再生モードにあるときに、操作に応じて、上記記録媒体上の、一時保管箱に所属する１つ以上の画像データに基づく１つ以上のサムネイル画像を並べて表示するものであっても良い。
【００１７】
このように、上記画像表示制御部が、操作に応じて、上記一次保管箱に所属する画像データに基づく一つの画像を表示画面上に表示したり、上記一次保管箱に所属する１つ以上の画像データに基づく１つ以上のサムネイル画像を表示画面上に並べて表示したりするものであると、ユーザは表示画面上で作業を行って一次保管箱に所属させた１つ以上の画像データがどのようなものであるかがすぐに分かり、さらに一次保管箱内の画像データが必要であるかどうかも分かる。その結果、表示画面を見ながら簡単に選別作業などの画像ファイルの管理作業を行える。
【００１８】
また、上記画像記録制御部は、操作に応じて上記一時保管箱に保管されている画像データに基づく画像のプリント予約処理を行うものであることが好ましい。
【００１９】
このように、上記画像記録制御部が、上記一時保管箱に保管されている画像データに基づく画像のプリント予約処理を行うものであると、上記記録媒体に記録されている画像ファイルのうち、操作により一次保管箱に所属させた画像データに対応する記録媒体上の画像ファイルにプリント予約処理が施される。上記画像記録制御部が、プリント予約処理を行うときには、上記一時保管箱内の１つ以上の画像データに基づく画像すべてにプリント予約を行っても、上記一時保管箱内に保管されている１つ以上の画像データのうち、いずれかの画像データに基づく画像にプリント予約を行っても良い。
【００２０】
さらに、上記画像記録制御部は、操作に応じて、上記一時保管箱に保管されている画像データの消去処理をおこなうものであることが望ましい。
【００２１】
このように、上記一時保管箱に所属させておいた画像データの消去処理を行うものであると、上記一時保管箱に一旦は保管したものの、後で不要と気づいた画像データがあった場合などにその不要な画像データの消去を行うことができる。この画像データの消去処理を行うときには、上記一時保管箱内の画像データの消去処理を一括して行っても、上記一時保管箱内に保管されている画像データのうち、いずれかの画像データに消去処理を行っても良い。
【発明の効果】
【００２２】
以上、説明したように、記録媒体上の画像ファイルの管理を表示画面上で行える撮像装置が実現される。
【発明を実施するための最良の形態】
【００２３】
以下図面を参照して本発明の実施の形態を説明する。
【００２４】
図１は、本発明の一実施形態である撮像装置にあたるデジタルカメラ１の外観を示す図である。
【００２５】
図１に示すデジタルカメラ１のカメラボディ１ａ中央にはレンズ鏡胴１０が備えられており、そのレンズ鏡胴１０の上方にはファインダ１１が備えられている。また、そのファインダ１１の横には閃光発光窓１２が備えられている。
【００２６】
さらに、図１の下方にはメモリカード装填室１３が設けられており、引き出し自在な開閉蓋が引き出されてメモリカード１１３が装填された後、再び開閉蓋が閉じられてメモリカード１１３がこのデジタルカメラ内部に装填されるようになっている。
【００２７】
また、このデジタルカメラ１の背面には表示装置の表示画面１５０他、操作子が多数設けられている。その多数の操作子の中には、十字釦１６１、メニュー／ＯＫキー１６２やキャンセルキー１６３、再生／撮影モード切替スイッチ１６４といった操作子が配備されている。さらにカメラボディ１ａの上面にはレリーズ釦１６５が設けられている。
【００２８】
図２は、このデジタルカメラ１の内部構成を示す構成ブロック図である。
【００２９】
このデジタルカメラ１の動作はマイコン１００内の記憶部１０１に格納されているプログラムに基づいて統括的に制御されている。この図２にはそのプログラムが実現するモード切替機能１０２とアイコン切替機能１０３とアイコン発生機能１０４と画像位置検出機能１０５と画像位置制御機能１０６とをそれぞれ示してある。これらの機能を実現するプログラムと後述する中央制御部１００ａとが本発明にいう画像表示制御部にあたる。また、記憶部１０１には記録制御機能１０７を実現するプログラムが記述されており、この記録制御機能１０７と後述する中央制御部１００ａとが本発明にいう画像記録制御部にあたる。図示はしていないが、この記憶部１０１には撮影処理に係わるプログラムなども格納されている。
【００３０】
このマイコン１００には、それらの機能を果たすプログラムの手順に従って各処理を実行する中央制御部１００ａが配備されており、この中央制御部１００ａには、外部からの入力信号を受ける入力部とそれらの信号やフラグに基づいて演算処理を行う演算部とその演算結果に基づき信号を出力する出力部と撮影処理部１１１から供給されてきた画像データを各部に転送するデータバスなどが備えられている。この中央制御部１００ａは、画像記録制御機能を示すプログラムに従って画像データを一次的に一次保管箱１０１ｂに記憶したり、ゴミ箱１０１ｃに記憶したりする。さらに、このマイコン１００の中央制御部１００ａは、図１に示した十字釦１６１などの操作子１６２〜１６５を備える操作部１６０からの信号を受け取り、その操作部１６０からの信号に応じて、撮影モードに応じた処理や再生モードに応じた処理を撮像処理部１１１、画像表示部１５、画像ファイル記録部１１２に行なわせている。
【００３１】
まず撮影モード時の処理を説明する。
【００３２】
操作部１６０の中の切替スイッチ１６４が撮影モード側に切り替えられると、マイコン１００の中央制御部１００ａは撮像処理部１１１に画像データの生成を行なわせる。この画像データの生成を所定の間隔ごとに撮影処理部１１１に行わせてその生成した画像データを所定の間隔ごとにバスを介して画像表示部１５に供給して、その画像表示部１５に所定の間隔ごとに画像データに基づく画像を順次切り替えてスルー画像を表示画面上に表示させる。このスルー画像が表示画面１５０に表示されているときに操作部１６０の中のレリーズ釦１６５が押されたら、マイコン１００の中央制御部１００ａは、撮影処理部１１１にレリーズ釦１６５が押されたときのタイミングで画像データを生成させ、その生成させた画像データを画像ファイル記録部１１２に供給させ、画像ファイル記録部１１２によって画像データを画像ファイルとしてメモリカード１１３に記録させる。
【００３３】
以上が撮影処理である。
【００３４】
次に再生モード時の処理を説明する。
【００３５】
操作部１６０の中の切替スイッチ１６４が再生側に切り替えられると、マイコン１００は画像ファイル記録部１１２にメモリカード１１３に記録されている画像ファイルのうち、例えば最も新しい撮影操作で撮影された画像ファイルを読み出させ、バスを介して画像ファイルの中の画像データを画像表示部１５に供給して表示画面１５０にその画像データに基づく画像を表示させる。ここで十字釦１６１の方向キーが操作されたら、別の画像データに基づく画像を順次表示させていく。
【００３６】
また、いずれかの撮影済み画像が表示されているときに操作部１６０の中のメニュー釦１６２が操作されたら、マイコン１００は表示画面１５０上に多数の選択項目からなるメニューを表示する。この多数の選択項目の中のいずれかが操作部１６０の中の十字釦１６１により指定され、さらに操作部１６０の中のＯＫ釦１６２が操作されたら、その選択項目のモードに対応するモード切替処理がモード切替機能１０２を持つプログラムの記述にしたがってマイコン１００で実行される。このデジタルカメラには、管理作業用に移動モードというモードを設けており、この移動モードが指定されると、モード切替機能が働き、表示画面１５０上にメモリカード１１３上に記録された画像データに基づく画像、さらにそのメモリカード１１３上の所定のフォルダである一時保管箱を表わすアイコンと操作に応じて移動するカーソルとが付加されて表示される。ここでいう画像データは、画像データそのものであっても、また画像データを表わすサムネイル画像であっても良い。
【００３７】
このようにデジタルカメラ１では、この移動モードが指定されたら、十字釦１６１の操作によりカーソルを自在に移動させ、表示画面１５０上で簡単に作業を行えるように図２の右側に示した各機能を示すプログラムにしたがって、マイコン内の画像表示制御部が表示画面１５０を制御する。
【００３８】
このマイコン１００内の画像表示制御部が有する種々の機能のうち、モード切替機能１０２は上記選択メニューが表示画面上に表示されているときにモード切替が行われたことをマイコン１００が検出する機能を指し、アイコン切替機能１０３はマイコン１００が有する複数の異なる表示態様のアイコンのうち、いずれかのアイコンを切り替えてアイコン発生機能１０４に通知する機能を指し、またアイコン発生機能１０４はアイコン切替機能により選択されたアイコンを表示画面１５０上に設定する機能を指す。
【００３９】
また、画像位置検出機能１０５は、カーソルにより指示された画像の位置を検出する機能を指し、画像位置制御部１０６は、画像の表示位置を制御する機能を指す。
【００４０】
このような画像表示制御部の表示制御機能を用いて、アイコンや画像をどのように表示画面１５０上に表示させ、どのように一時保管箱１００ｂに画像ファイルを所属させる処理が表示画面上で行われるかを説明する。
【００４１】
まずマイコン１００内のモード切替機能１０２により移動モードが指定されたことをマイコン１００が認識する。そうしたら、マイコン１００内のアイコン切替機能１０３によりマイコン１００内にある一時保管箱１００ｂを表わすアイコンをアイコン発生部１０４に設定して画像表示部１５を介して表示画面１５０上にアイコンを表示させる。このときにはマイコン１００によりメモリカード１１３からメモリカード１１３内にある複数の画像ファイルそれぞれのサムネイル画像が読み出され、さらにマイコン１００の画像位置制御機能１０６によりそれらのサムネイル画像の表示位置を制御することによってサムネイル画像が並べて表示される。さらにマイコン１００内に配備されているカーソル機能により、カーソルも表示画面１５０上に表示される。このカーソルは移動自在であって、十字釦１６１の方向キーの操作により表示画面１５０上を移動するものである。十字釦１６１の方向キーの操作によりカーソルを移動させ、いずれかのサムネイル画像上に置いたまま、十字釦１６１がクリック操作されたら、マイコン１００内の画像位置制御部１０６と画像位置検出部１０５との連携によりカーソルが置かれている位置にあるサムネイル画像が多数表示したサムネイル画像のうちいずれであるかがマイコン１００により割り出される。さらに、カーソルがサムネイル画像上に置かれたまま、その十字釦１６１がクリックされて十字釦１６１の操作により一時保管箱のアイコンに入れるドラッグアンドドロップ操作が行われたら、そのドロップ操作されたサムネイル画像を一時保管箱に所属させる。この一時保管箱に所属させるということは、サムネイル画像が表わす画像データを、マイコン内の一次保管箱１００ｂに記憶するということを意味する。ここでは表示画面上にすぐにサムネイル画像の表示を行えるようにするため、サムネイル画像を表わす画像データをそのまま一次保管箱に記憶しているが、例えば、メモリカードが高速アクセスを実現させるものであった場合には、サムネイル画像をヘッダ部に持つ画像ファイルのアドレスを示すポインタを一次保管箱１００ｂに記憶するようなことを行っても、一次保管箱１００ｂに画像データを所属させることになる。
【００４２】
また、その一時保管箱を表わすアイコンへのドラッグアンドドロップ操作が行われたことをマイコン１００内の画像位置検出機能１０５で検出したときには、マイコン１００内のアイコン切替機能１０３を働かせてアイコンの表示態様を切り替えて、そのアイコン切替機能１０３により切り替えられた異なる表示態様のアイコンがアイコン発生部１０４に設定され表示画面上にその設定したアイコンが表示される。ここでは異なる態様として、一時保管箱を表わすアイコンを膨らんだものにするであるとか、アイコンを点線で表示するであるとかの表示態様がマイコン内に準備されている。
【００４３】
このように、メモリカード１１３上の画像データのうち、いずれかの画像データがマイコン１００内の一次保管箱１００ｂに記憶されたら、その一次保管箱に記憶された画像データにＤＰＯＦ処理や消去処理が施される。
【００４４】
ここまで説明してきた内容を、図３および図４を用いて詳細に説明する。
【００４５】
図３はマイコンが行う処理の手順を示すフローチャートである。
【００４６】
ステップＳ３０１で切替スイッチ１６４が再生モードへ切り替えられたら、図３に示すフローの処理が開始される。
【００４７】
図１に示す切替スイッチ１６４が再生モード側に切り替えられたらステップＳ３０２で撮影済み画像を表示画面１５０へ表示する。ここで図１に示すメニュー釦１６２が操作されたら次のステップＳ３０３で多数の選択項目からなるメニューの表示を行なう。このメニューの表示により表示された選択項目の中から画像移動モードが指定されたら、ステップＳ３０４で画像移動モードへの切替を行い、画像移動モード処理を実行させる。
【００４８】
次のステップＳ３０５で、多数のサムネイル画像とカーソルと一時保管箱のアイコンとゴミ箱のアイコンを表示画面上に表示する。次のステップＳ３０６へ移行して十字釦１６１の方向キーが操作されたらカーソルを移動させ、そのカーソルがいずれかのサムネイル画像上に移動して、十字釦１６１が操作されなくなったらステップＳ３０７で画像を個別表示するかどうかを判定する。ここで十字釦１６１がダブルクリック操作されたらＹｅｓ側に進み、クリック操作されたらＮｏ側に進む。
【００４９】
ＮＯ側に進んだ場合には、ステップＳ３０８、ステップＳ３０９でサムネイル画像がカーソルで指示され十字釦１６１がクリックされた後カーソルを一時保管箱まで移動させ、さらにクリック操作を行うというドラッグアンドドロップ操作が行われたら、そのドラッグアンドドロップ操作されたサムネイル画像を一時保管箱に所属させる。ステップＳ３１０の処理が終了したら、次のステップＳ３１１へ移行して一時保管箱に所属させた画像またはサムネイル画像の数を検出して次のステップ３１７へ移行する。
【００５０】
また、ステップＳ３０７でＹｅｓ側に進んだ場合には、ステップＳ３１２で十字釦１６１がダブルクリック操作されたことが確認された場合には、そのダブルクリック操作されたときにカーソルにより指示されていたサムネイル画像が表わす画像を個別に表示する。次のステップＳ３１３〜Ｓ３１５で十字釦１６１がクリックされたまま画像がドラッグされ、一時保管箱にドロップされたことを検知したら、一時保管箱に画像データを所属させる。そうしたら次のステップＳ３１６でサムネイル画像表示に戻る。次のステップＳ３１１で一時保管箱に保管された画像データの数を検出したら次のステップＳ３１７へ進む。
【００５１】
次のステップＳ３１７で一時保管箱に保管された画像データの数が１つ以上かどうかを判定して、１つ以上あったら、Ｙｅｓ側に進み、ステップＳ３１８で一時保管箱を表わすアイコンを膨らんだものに置き換えて表示する。次のステップＳ３２０で画像移動モードが終了したかどうかを判定する。例えば、切替スイッチ１６４が撮影モード側に切り替えられる操作があった場合などはＹｅｓ側に進みこの画像移動モードの処理を終了する。また、画像移動モードのまま変更がない場合にはステップＳ３０５に戻ってステップＳ３０５〜ステップＳ３２０までの処理を繰り返し行なう。
【００５２】
図４は図３のフローチャートの各ステップで行われる処理がどのようなものであるかを表示画面で示した図である。図３のフローチャートの各ステップのうち、番号が表記されているステップのその番号と表示画面を示す各図の脇に表記された番号とが対応する。以下説明においては図４の各図を図４−１、図４−２…というように表記して説明する。
【００５３】
図３のステップＳ３０５に対応する表示画面が図４−１に示すものであって、並べて表示されている複数のサムネイル画像と、十字カーソル１５０１と、ゴミ箱を表わすアイコン１５０２と一時保管箱を表わすアイコン１５０３とがそれぞれ表示されている。このときに十字釦１６１が操作されると、ステップＳ３０６にあるように十字釦１６１の操作により十字カーソル１５０１が移動する。この図４−２は、中央に表示されていたカーソル１５０１を十字釦１６１の操作により画像９の位置まで移動させた場合の表示画面の例が示されている。
【００５４】
さらにここでステップＳ３０８にあるように十字釦１６１のクリック操作が行われると、図４−３の表示画面になってクリック操作されたサムネイル画像の枠が太枠で表示される。さらにステップＳ３０９にあるように画像９上にあったカーソル１５０１がドラッグアンドドロップ操作により一時保管箱のアイコン１５０３まで移動すると、図４−４の表示画面になって一時保管箱１５０３のアイコンが点線枠のアイコン１５０３ａで表示される。さらに十字釦のクリック操作が行われて一次保管箱内に画像データが記憶されたら図４−５の表示画面になって一時保管箱のアイコンが異なる表示態様である膨らんだアイコン１５０３ｂに設定し直される。このときには画像９の太枠が点線になっている。
【００５５】
以上がステップでＮｏと判定された場合の処理である。
【００５６】
次に図３のステップＳ３１２からの処理が行われているときの表示画面を、図４の右側の図を参照して説明する。
【００５７】
ステップＳ３１２で十字釦がダブルクリック操作されたら、図４−６の表示画面になってサムネイル画像９が表わす撮影済みの画像データに基づく画像が表示される。なお、このときにもゴミ箱のアイコン１５０２と一時保管箱のアイコン１５０３は表示されている。ステップＳＳ３１２で十字釦１６１がクリック操作されたら図４−７の表示画面になって画像９の枠が太枠で表示されてこれからこの画像がゴミ箱を表わすアイコン１５０２、一時保管箱を表わす１５０３のいずれかのアイコンにドラッグアンドドロップ操作されることが示される。
【００５８】
また、ステップＳ３１４でカーソルが一次保管まで移動したら、図４−８の表示画面になって一時保管箱を表わすアイコン１５０３が点線枠のアイコン１５０３ａになって表示される。さらに、十字釦１６１のクリック操作によりドロップ操作され、一時保管箱内に画像データを所属させる処理が終了したら、図４−９の表示画面になって一時保管箱のアイコンが膨らんだものに設定し直される。このように膨らんだ形で一時保管箱を表わすアイコン１５０３ｂが表示されると、一時保管箱に保管されている画像ファイルが１つ以上あることがユーザに対して示される。
【００５９】
このような視覚効果を含めた使い勝手の良いマンマシーンインタフェースが画像表示部の各機能により実現される。
【００６０】
次にプリント予約処理を説明する。
【００６１】
図５はマイコン１００が行うプリント予約処理（以下ＤＰＯＦ処理という）の手順を示すフローチャートである。なお、ＤＰＯＦは、Ｄｉｇｉｔａｌ  Ｐｒｉｎｔ  Ｏｒｄｅｒ  Ｆｏｒｍａｔの略である。
【００６２】
ステップＳ５０１で切替スイッチ１６４が再生モード側に切り替えられたら、ステップＳ５０２で撮影済み画像を表示する。ステップＳ５０３でメニューを表示し、一次保管箱とゴミ箱を表示画面上に表示する。次のステップＳ５０３で一時保管箱のアイコン１５０３がクリック操作されたら一時保管箱を開いて、ステップＳ５０４でその一時保管箱に保管されている複数の画像ファイルそれぞれのサムネイル画像を表示画面上に並べて表示する。
【００６３】
次のステップＳ５０５で、「移動モード？」ほか多数の選択項目を表示する。このステップＳ５０６で移動モードが指定されたら、ステップＳ５０７で移動モードの表示画面への切替を行って、さらにステップＳ５０８でメニュー表示を行って「全画像選択？」を表示する。
【００６４】
ステップＳ５０８で全画像選択が選択されずキャンセル釦などが押された場合には、ステップＳ５０９へ進み、カーソルを表示する。このときに十字釦の方向キーが操作されたら、次のステップＳ５１０でカーソルの位置を移動させる。ステップＳ５１１でカーソルが移動せずに表示されているサムネイル画像上に置かれたまま、十字釦１６１がクリックされたら、その画像を選択する。次のステップＳ５１２で選択操作を続行するかどうかを判定して、画像の選択終了を表示してここでＯＫ釦が押されたら、Ｙｅｓ側に進みステップＳ５１３でＤＰＯＦメニュを表示する。このステップＳ５１３でＤＰＯＦのプリント予約処理が指定されたら、Ｓ５１４でＤＰＯＦのプリント処理を行ってこのフローの処理を終了する。
【００６５】
またステップＳ５０８で全画像選択がＯＫ釦などにより指定されたら、ステップＳ５１５へ進み、複数並べて表示されていサムネイル画像の枠をすべて太枠表示にして、ステップＳ５１３へ進む。このステップＳ５１３でＤＰＯＦメニューを表示して、そのメニューの中のプリント予約の項目が指定されたら、次のステップＳ５１４でＤＰＯＦのプリント処理を行ってこのフローの処理を終了する。
【００６６】
ここでは、ＤＰＯＦ処理によって、一時保管箱に記憶された画像データを参照して記録媒体内にあるその画像データを有する画像ファイルのヘッダに印刷枚数を記録する処理などが行なわれる。
【００６７】
図５のステップで処理が行なわれているときに表示画面がどのように切り替えられるかを説明する。
【００６８】
図６は、ステップＳ５０５とステップＳ５０７とステップＳ５１０とステップＳ５１１の処理が行われているときの表示画面をそれぞれ示す図である。図５の各ステップの脇に表示された番号と表示画面を示す各図の脇に表記された番号とが対応する。以下説明においては図６の各図を図６−１、図６−２…というように表記して説明する。
【００６９】
ステップＳ５０５に対応する図６−１は一時保管箱に保管されている画像ファイルの内容がサムネイル画像で表示されている例が示されている。ここでステップＳ５０７の処理が行なわれると、図６−２に示す表示画面に切り替わり、中央にカーソル１５０１が表示される。さらにステップＳ５１０の処理が行なわれると、図６−３に示すようにカーソル１５０１が画像９上まで移動して画像９上に置かれる。ここで十字釦がクリック操作されたら、図６−４に示すように画像９の枠が太枠になる。
【００７０】
また、一番下の図６−５は、ステップＳ５１５で全画像選択が行われた場合の表示画面を示す図であり、全サムネイル画像の枠が太枠になっている。
【００７１】
このように視覚効果により分かりやすく画像データの選択状況がユーザに伝えられる。
【００７２】
次に、消去処理を説明する。
【００７３】
図７は、マイコン１００が行う消去処理の手順を示すフローチャートである。
【００７４】
ステップＳ７０１からステップＳ７１１までの処理およびステップＳ７２２の処理は、図５のＤＰＯＦ処理と同様である。ステップＳ７１２からの処理を説明する。
【００７５】
ステップＳ７０８〜Ｓ７１１まで、またＳ７２２でいずれかの画像が選択されるか、全画像が選択されたら、ステップ７１２で消去処理を行うかどうかを表示する。ここでＮｏと判定されたらこのフローを処理を終了する。またＹｅｓと判定され、ステップＳ７１４へ進んで、カーソルを移動させてサムネイル画像のいずれかをゴミ箱のアイコン１５０２に入れるドラッグアンドドロップ操作が行われたら、ゴミ箱内に画像データを記憶する。次のステップＳ７１５でゴミ箱内の画像ファイルの数を検出してゴミ箱の画像ファイル数が１つ以上かどうかを判定する。一つ以上であればＹｅｓ側に進みステップＳ７１６でゴミ箱のアイコンを膨らんだもの１５０２ｂに設定し直す。次のステップＳ７１７で一時保管箱内の画像ファイルの数を検出して次のステップＳ７２０へ進み、このステップＳ７２０で一次保管箱内の画像ファイル数が１つ以上かどうかを判定する。もし消去処理が行なわれて一時保管箱に記憶されている画像ファイルの数が減って空になっていたら、Ｎｏ側に進み、ステップＳ７２１で一時保管箱を表わすアイコンを、空であることを示す表示態様のものに設定し直す。ステップＳ７１９で１つ以上画像ファイルがあると判定したらＹｅｓ側に進みステップＳ７２０で一時保管箱を表わすアイコンを膨らんだもののままにしてこのフローの処理を終了する。
【００７６】
図８は図７のフローチャートの各ステップで行われる処理がどのようなものであるかを表示画面で示した図である。図７のフローチャートのステップの脇に表記された番号と表示画面を示す各図の脇に表記された番号とが対応する。以下説明においては各図を図８−１、図８−２…というように表記して説明する。
【００７７】
図７のステップＳ７０４に対応する表示画面が図８−１に示すものであって、多数のサムネイル画像と、それらの画像の下方にゴミ箱を表わすアイコン１５０２と一時保管箱を表わすアイコン１５０３とがそれぞれ表示されている。図７のステップＳ７０６で画像移動モードへの切替が行なわれると、図８−２の表示画面になってカーソル１５０１が中央に表示される。また、ステップＳ７０９の処理が行なわれると、図８−３の表示画面になる。この図８−３は、中央に表示されていたカーソル１５０１を十字釦１６１の操作により画像９の位置まで移動させた場合の表示画面の例が示されている。
【００７８】
さらにここでステップＳ７１０の処理が行なわれると、図８−４の表示画面になって、クリック操作されたサムネイル画像の枠が太枠で表示される。さらにステップＳ７１３にあるように画像９上にあったカーソル１５０１がドラッグアンドドロップ操作によりゴミ箱を表わすアイコン１５０２まで移動すると、図８−５の表示画面になってゴミ箱のアイコンが点線枠のアイコン１５０２ａで表示される。さらにゴミ箱内にサムネイル画像９を所属させる処理が終了したら、図８−６の表示画面になってゴミ箱のアイコンが膨らんだアイコン１５０２ｂに設定し直される。このときには画像９の太枠が点線になっている。
【００７９】
以上がステップＳ７０７で全画像表示が選択されない場合の表示画面の切り替わり状態である。
【００８０】
図７のステップＳ７０７で全画像選択が選択されて、ステップＳ７２２で全画像が選択された状態になったら、図８−７の表示画面になってサムネイル画像の枠がすべて太枠になる。
【００８１】
以上説明したようにデジタルカメラの表示画面上で画像ファイルのプリント予約処理や消去処理といった作業を行えて、ＰＣにわざわざ可搬型記録媒体を装着しなくても、表示画面上で記録媒体上の画像ファイルの管理を行なえる撮像装置が実現される。
【図面の簡単な説明】
【００８２】
【図１】本発明の実施形態である撮像装置の一例にあたるデジタルカメラの外観を示す図である。
【図２】図１のデジタルカメラ内部の内部構成を示す構成ブロック図である。
【図３】図１のマイコンが行う処理の手順を示すフローチャートである。
【図４】図３の処理が行なわれたときの表示画面の移り変わりを示す図である。
【図５】図１のマイコンが行うＤＰＯＦ処理の手順を示すフローチャートである。
【図６】図５の処理が行なわれたときの表示画面の移り変わりを示す図である。
【図７】図１のマイコンが行う消去処理の手順を示すフローチャートである。
【図８】図７の処理が行なわれたときの表示画面の移り変わりを示す図である。
【符号の説明】
【００８３】
１    デジタルカメラ（撮像装置）
１０  レンズ鏡胴
１１    ファインダ
１２    閃光発光窓
１３    媒体装填室
１００    マイコン
１００ａ    中央制御部
１００ｂ    一次保管箱
１００ｃ    ゴミ箱
１０１    記憶部
１０２    モード切替機能
１０３    アイコン切替機能
１０４    アイコン発生機能
１０５    画像位置検出機能
１０６    画像位置制御機能
１０７    画像記録制御機能
１１１    撮影処理部
１１２    画像ファイル記録部
１１３    メモリカード（可搬型記録媒体）
１６０    操作部
１６１    十字キー
１６２    メニュー／ＯＫ釦
１６３    キャンセル釦
１６４    切替スイッチ
１６５    レリーズ釦
【図１】
2005151115.tif 000003
【図２】
2005151115.tif 000004
【図３】
2005151115.tif 000005
【図４】
2005151115.tif 000006
【図５】
2005151115.tif 000007
【図６】
2005151115.tif 000008
【図７】
2005151115.tif 000009
【図８】
2005151115.tif 000010